(57)【要約】【課題】アンテナ接続端子にダイプレクサを介して低周波側回路と高周波側回路とが接続されたアンテナ共用器の受信特性を改善すると共に、小型化を図る。【解決手段】本発明に係るアンテナ共用器７においては、ダイプレクサ２０の高周波側の端子Ｆから高周波側出力端子１１へ至る受信ラインに、送信信号の波長の４分の１の長さを有するマイクロストリップライン４と、受信信号の周波数に対応する通過帯域を有するＳＡＷフィルター５とが、直列に介在すると共に、マイクロストリップライン４の出力端Ａには、信号送信時に該出力端Ａを接地すべきダイオードＤ２が接続されている。又、マイクロストリップライン４の出力端ＡとＳＡＷフィルター５の入力端Ｂとの間には、該出力端Ａと該入力端Ｂの間のインピーダンスマッチングを図るマイクロストリップライン８が介在している。【選択図】      図１
2004320093.tif 000002
【特許請求の範囲】
【請求項１】
アンテナ接続端子（１０）に対し、ダイプレクサ（２０）を介して、低周波帯域の信号を受信し若しくは送信するための低周波側回路と、高周波帯域の信号を受信し若しくは送信するための高周波側回路とが接続され、該高周波側回路は、ダイプレクサ（２０）の高周波側の端子Ｆから高周波側出力端子（１１）へ至る受信ラインと、高周波側入力端子（１３）からダイプレクサ（２０）の前記高周波側の端子Ｆへ至る送信ラインとを具え、受信ラインには、送信信号の波長の４分の１の長さを有するマイクロストリップライン（４）と、受信信号の周波数に対応する通過帯域を有するＳＡＷフィルター（５）とが、直列に介在すると共に、マイクロストリップライン（４）の出力端Ａには、信号送信時にオンとなって該出力端Ａを接地すべきオン／オフ手段が接続されているアンテナ共用器において、マイクロストリップライン（４）の出力端ＡとＳＡＷフィルター（５）の入力端Ｂとの間には、該出力端Ａと該入力端Ｂの間のインピーダンスマッチングを図る整合手段が介在していることを特徴とするアンテナ共用器。
【請求項２】
前記送信ラインには、信号送信時にオンとなって高周波側入力端子（１３）からの送信信号をダイプレクサ（２０）へ供給するためのオン／オフ手段が介在している請求項１に記載のアンテナ共用器。
【請求項３】
前記整合手段は、受信信号の波長の４分の１若しくは略４分の１の長さを有するマイクロストリップライン（８）によって構成される請求項１又は請求項２に記載のアンテナ共用器。
【請求項４】
信号受信時に高周波側入力端子（１３）からの送信信号が送信ラインを経て受信ラインへ流れ込むことを阻止するトラップ手段を具えている請求項１又は請求項２に記載のアンテナ共用器。
【請求項５】
前記整合手段は、送信信号の波長の４分の１の長さを有するマイクロストリップライン（８１）によって構成され、該マイクロストリップライン（８１）によって前記トラップ手段が構成されている請求項４に記載のアンテナ共用器。
【発明の詳細な説明】
【０００１】
【発明の属する技術分野】
本発明は、携帯電話機などに装備されるアンテナ共用器に関するものである。
【０００２】
【従来の技術】
図５は、低温焼成セラミック基板を用いてモジュール化された従来のアンテナ共用器（７０）の構成を示しており、該アンテナ共用器（７０）によれば、欧州で使用される１８００ＭＨｚ帯を利用したＤＣＳ（Ｄｉｇｉｔａｌ  Ｃｅｌｌｕｌａｒ  Ｓｙｓｔｅｍ）と、欧州などで使用される９００ＭＨｚ帯を利用したＧＳＭ（Ｇｌｏｂａｌ  Ｓｙｓｔｅｍ  Ｆｏｒ  Ｍｏｂｉｌｅ  Ｃｏｍｍｕｎｉｃａｔｉｏｎｓ）の、デュアルバンドの信号の送受信が可能である（特許文献１参照）。
尚、ＤＣＳにおいては、受信帯域が１０８５〜１８８０ＧＨｚ、送信帯域が１７１０〜１７８５ＧＨｚと、両帯域が接近している。
【０００３】
図５に示す如く、アンテナ（１）には、アンダイプレクサ（２０）を介して、第１送受信回路（２１）と第２送受信回路（２２）とが並列に接続されている。
第１送受信回路（２１）においては、スイッチング回路（３１）の一方の端子に、整合回路（４１）及び受信用ＳＡＷフィルター（５１）が接続され、該受信用ＳＡＷフィルター（５１）からはＧＳＭの受信信号Ｒｘｇが出力される。又、スイッチング回路（３１）の他方の端子には、送信回路（６１）が接続され、該送信回路（６１）には、ＧＳＭの送信信号Ｔｘｇが供給される。
【０００４】
又、第２送受信回路（２２）においては、スイッチング回路（３２）の一方の端子に信号線路Ｓ１が接続され、該信号線路Ｓ１には、ＤＣＳ受信用の整合回路（４２）とＳＡＷフィルター（５２）が直列に介在している。これによって、信号線路Ｓ１からはＤＣＳの受信信号Ｒｘｄが出力される。
スイッチング回路（３２）の他方の端子には、送信回路（６２）が接続され、該送信回路（６２）には、ＤＣＳの送信信号Ｔｘｄｐが供給される。
【０００５】
図４は、アンテナ共用器（７０）の第２送受信回路（高周波側回路）の具体的回路構成を表わしている。図示の如く、アンテナ接続端子（１０）にはダイプレクサ（２０）が接続され、該ダイプレクサ（２０）は、低周波側端子（１２）と高周波側端子Ｆを具え、低周波側端子（１２）には図示省略する低周波側回路が接続されると共に、高周波側端子Ｆには図示する高周波側回路が接続されている。
【０００６】
高周波側回路においては、ダイプレクサ（２０）の高周波側端子Ｆに対し、送信信号の波長の４分の１の長さ（λ／４）を有するマイクロストリップライン（４）を介して、受信信号を選択的に通過させるべきＳＡＷフィルター（５）が接続され、該ＳＡＷフィルター（５）の出力端が高周波側出力端子（１１）に繋がっている。マイクロストリップライン（４）の出力端Ａ′はダイオードＤ２を介して接地されている。
【０００７】
又、ダイプレクサ（２０）の高周波側端子Ｆからλ／４マイクロストリップライン（４）へ伸びる信号線は途中で分岐し、該分岐点Ｅには、ダイオードＤ１を介して、送信信号を通過させるべきローパスフィルター（６）の出力端が接続され、該ローパスフィルター（６）の入力端は高周波側入力端子（１３）と制御端子（１４）に繋がっている。
【０００８】
更に、ローパスフィルター（６）の出力端とダイプレクサ（２０）の高周波側端子Ｆとの間には、ダイオードＤ１に対して並列に、キャパシタンスＣとインダクタンスＬからなるトラップ回路が接続されている。該トラップ回路は、送信信号の通過を阻止すべき抑圧帯域を有している。
【０００９】
上記アンテナ共用器（７０）において、信号受信時には、制御端子（１４）に対する電圧印加を停止する。これによって、２つのダイオードＤ１、Ｄ２がオフとなって、マイクロストリップライン（４）は単なる信号伝送路となる。この結果、ダイプレクサ（２０）からの受信信号は、マイクロストリップライン（４）を通過してＳＡＷフィルター（５）へ入力され、該ＳＡＷフィルター（５）によって抽出されたＤＣＳ又はＰＣＳの受信信号が、高周波側出力端子（１１）から後段回路へ出力される。
【００１０】
一方、信号送信時には、制御端子（１４）に所定の電圧を印加する。これによって、２つのダイオードＤ１、Ｄ２がオンとなって、λ／４マイクロストリップライン（４）が位相を９０度変換する機能（位相反転機能）を発揮し、高周波側入力端子（１３）から高周波側出力端子（１１）へ向かう信号の通過を阻止する。
従って、高周波側入力端子（１３）へ入力されたＤＣＳ又はＰＣＳの送信信号は、ローパスフィルター（６）及びダイオードＤ１を経てダイプレクサ（２０）へ入力され、アンテナ接続端子（１０）に接続されたアンテナ（図示省略）から送信されることになる。
【００１１】
尚、上記アンテナ共用器（７０）においては、ダイプレクサ（２０）の高周波側端子Ｆとλ／４マイクロストリップライン（４）の間の分岐点Ｅに、ダイオードＤ１やローパスフィルター（６）が接続されているため、端子間容量が原因となって、信号受信時に、高周波側入力端子（１３）からダイプレクサ（２０）へ信号の漏れが発生する虞があるが、上述の如く、ローパスフィルター（６）の出力端とダイプレクサ（２０）の高周波側端子Ｆとの間には、キャパシタンスＣとインダクタンスＬからなるトラップ回路が接続されているので、所謂ＯＦＦアイソレーションが図られ、これによって安定した受信動作が実現される。
【００１２】
【特許文献１】
特開２００２−２４６８０９号公報
【特許文献２】
実開平６−７７３０７号公報
【００１３】
【発明が解決しようとする課題】
しかしながら、図４に示す従来のアンテナ共用器（７０）においては、特に高周波側回路を構成するＳＡＷフィルター（５）の通過帯域幅が大きくならざるを得ないため、ＳＡＷフィルター（５）の通過帯域特性にリップルが生じることは避けることが出来ず、この結果、送信帯域と受信帯域が接近している場合には、上述したλ／４マイクロストリップライン（４）による送信と受信の切り替え機能が十分なものでなくなり、例えば高周波側入力端子（１３）からの信号が高周波側出力端子（１１）へ漏れる問題があった。
【００１４】
又、図４に示す従来のアンテナ共用器（７０）においては、信号受信時に高周波側入力端子（１３）からアンテナ及び高周波側出力端子（１１）への漏れがないように、キャパシタンスＣとインダクタンスＬからなるトラップ回路が接続されており、この様なトラップ回路は、低温焼成セラミック基板を用いたモジュールに造り込むことが困難なため、外付け回路となって、アンテナ共用器（７０）の大型化を招く問題があった。
【００１５】
そこで本発明の第１の目的は、アンテナ接続端子にダイプレクサを介して低周波側回路と高周波側回路が接続されたアンテナ共用器において、高周波側回路での送信系から受信系への信号の漏れを確実に阻止して、送受信特性を改善することである。又、本発明の第２の目的は、アンテナ共用器の小型化を図ることである。
【００１６】
【課題を解決する為の手段】
本発明に係るアンテナ共用器において、高周波側回路は、ダイプレクサ（２０）の高周波側の端子Ｆから高周波側出力端子（１１）へ至る受信ラインと、高周波側入力端子（１３）からダイプレクサ（２０）の前記高周波側の端子Ｆへ至る送信ラインとを具えている。
受信ラインには、送信信号の波長の４分の１の長さを有するマイクロストリップライン（４）と、受信信号の周波数に対応する通過帯域を有するＳＡＷフィルター（５）とが、直列に介在すると共に、マイクロストリップライン（４）の出力端Ａには、信号送信時にオンとなって該出力端Ａを接地すべき第１のオン／オフ手段が接続されている。
又、マイクロストリップライン（４）の出力端ＡとＳＡＷフィルター（５）の入力端Ｂとの間には、該出力端Ａと該入力端Ｂの間のインピーダンスマッチングを図る整合手段が介在している。
【００１７】
前記整合手段は、受信信号の波長の４分の１若しくは略４分の１の長さを有するマイクロストリップライン（８）又はＬＣ回路によって構成することが出来る。
【００１８】
上記本発明のアンテナ共用器において、信号受信時には第１オン／オフ手段をオフとする。これによって、ダイプレクサ（２０）からの受信信号はマイクロストリップライン（４）及び整合手段を通過して、ＳＡＷフィルター（５）に入力される。
ここで、ＳＡＷフィルター（５）の通過帯域特性にリップルが存在していたとしても、マイクロストリップライン（４）の出力端ＡとＳＡＷフィルター（５）の入力端Ｂとの間に介在する整合手段が、ＳＡＷフィルター（５）の特性に対応して、該出力端Ａと該入力端Ｂの間のインピーダンスマッチングを図るので、ＳＡＷフィルター（５）の通過帯域特性のリップルによる影響がほぼ完全に除去される。
一方、信号送信時には第１オン／オフ手段をオンとする。これによって、マイクロストリップライン（４）が位相反転機能を発揮して、信号受信系が切り離されることになる。
【００１９】
具体的構成において、前記送信ラインには、信号送信時にオンとなって高周波側入力端子（１３）からの送信信号をダイプレクサ（２０）へ供給するための第２のオン／オフ手段が介在している。
該具体的構成において、信号受信時には、第２のオン／オフ手段をオフとする。これによって送信系が切り離されることになる。一方、信号送信時には、第２のオン／オフ手段をオンとする。これによって、高周波側入力端子（１３）からの送信信号がダイプレクサ（２０）へ供給される。
【００２０】
又、具体的構成においては、信号受信時に高周波側入力端子（１３）からの送信信号が送信ラインを経て受信ラインへ流れ込むことを阻止するトラップ手段を具えている。
該トラップ手段によって信号受信時のＯＦＦアイソレーションが図られ、これによって安定した受信動作が実現される。
【００２１】
更に具体的には、前記整合手段は、送信信号の波長の４分の１の長さを有するマイクロストリップライン（８１）によって構成される。
これによって、マイクロストリップライン（８１）が前記トラップ手段のＯＦＦアイソレーション機能を発揮する。従って、外付け回路としての従来のトラップ手段は省略することが出来る。
尚、マイクロストリップライン（８１）は、低温焼成セラミック基板を用いたモジュールに造り込むことが出来る。
【００２２】
【発明の効果】
本発明に係るアンテナ共用器によれば、高周波側回路の受信系に配備した整合手段によって送信系から受信系への信号の漏れを確実に阻止して、受信特性を改善することが出来る。又、整合手段として、送信信号の波長の４分の１の長さを有するマイクロストリップラインを採用すれば、低温焼成セラミック基板を用いてモジュール化したアンテナ共用器の小型化が可能である。
【００２３】
【発明の実施の形態】
本発明を、ＧＳＭとＤＣＳのデュアルバンドに対応したアンテナ共用器に実施した形態につき、図面に沿って具体的に説明する。
本発明に係るアンテナ共用器（７）においては、図１に示す如く、アンテナ接続端子（１０）にダイプレクサ（２０）が接続され、該ダイプレクサ（２０）は、低周波側端子（１２）と高周波側端子Ｆを具え、低周波側端子（１２）には、低周波側回路としてＧＳＭ送受信回路（図示省略）が接続されると共に、高周波側端子Ｆには、高周波側回路として図示するＤＣＳ送受信回路が接続されている。
【００２４】
該ＤＣＳ送受信回路においては、ダイプレクサ（２０）の高周波側端子Ｆに対し、ＤＣＳ送信信号（１７１０〜１７８５ＧＨｚ）の波長の４分の１の長さ（λ／４）を有する第１のマイクロストリップライン（４）と、後述の第２のマイクロストリップライン（８）とを介して、ＤＣＳ受信信号を選択的に通過させるべきＳＡＷフィルター（５）の入力端Ｂが接続され、該ＳＡＷフィルター（５）の出力端が高周波側出力端子（１１）に繋がっている。第１マイクロストリップライン（４）の出力端ＡはダイオードＤ２を介して接地されている。
【００２５】
第２マイクロストリップライン（８）は、ＳＡＷフィルター（５）の通過帯域特性に応じて適切に調整された長さ、具体的にはＤＣＳ受信信号（１８０５〜１８８０ＧＨｚ）の波長の約４分の１の長さを有しており、これによって、第１マイクロストリップライン（４）の出力端ＡとＳＡＷフィルター（５）の入力端Ｂの間のインピーダンスマッチングが図られ、ＳＡＷフィルター（５）の入力端Ｂにおけるインピーダンスが５０Ωに設定されている。
【００２６】
又、ダイプレクサ（２０）の高周波側端子Ｆから第１マイクロストリップライン（４）へ伸びる信号線は途中で分岐し、該分岐点Ｅには、ダイオードＤ１を介して、ＤＣＳ送信信号を通過させるべきローパスフィルター（６）の出力端が接続され、該ローパスフィルター（６）の入力端は高周波側入力端子（１３）と制御端子（１４）に繋がっている。
【００２７】
更に、ローパスフィルター（６）の出力端とダイプレクサ（２０）の高周波側端子Ｆとの間には、ダイオードＤ１に対して並列に、キャパシタンスＣとインダクタンスＬからなるトラップ回路が接続されている。該トラップ回路は、ＤＣＳ送信信号の通過を阻止すべき抑圧帯域を有している。
【００２８】
上記アンテナ共用器（７）において、ＤＣＳ信号受信時には、制御端子（１４）に対する電圧印加を停止する。これによって、２つのダイオードＤ１、Ｄ２がオフとなって、第１マイクロストリップライン（４）及び第２マイクロストリップライン（８）は単なる信号伝送路となる。この結果、ダイプレクサ（２０）からの受信信号は、両マイクロストリップライン（４）（８）を通過してＳＡＷフィルター（５）へ入力され、該ＳＡＷフィルター（５）によって抽出されたＤＣＳ受信信号が、高周波側出力端子（１１）から後段回路へ出力される。
【００２９】
ここで、第２マイクロストリップライン（８）によってＳＡＷフィルター（５）の入力端Ｂにおけるインピーダンスがスミスチャートの中心点、即ち５０Ωに設定されているので、ＳＡＷフィルター（５）の通過帯域特性のリップルによる影響がほぼ完全に除去されて、受信特性が改善されることになる。
又、ローパスフィルター（６）の出力端とダイプレクサ（２０）の高周波側端子Ｆとの間に、キャパシタンスＣとインダクタンスＬからなるトラップ回路が接続されているので、所謂ＯＦＦアイソレーションが図られ、これによって安定した受信動作が実現される。
【００３０】
一方、ＤＣＳ信号送信時には、制御端子（１４）に所定の電圧を印加する。これによって、２つのダイオードＤ１、Ｄ２がオンとなって、第１マイクロストリップライン（４）が位相反転機能を発揮し、高周波側入力端子（１３）からの信号の通過を阻止する。
この結果、高周波側入力端子（１３）へ入力されたＤＣＳ送信信号は、ローパスフィルター（６）及びダイオードＤ１を経てダイプレクサ（２０）へ入力され、アンテナ接続端子（１０）に接続されたアンテナ（図示省略）から送信されることになる。
【００３１】
図２に示すアンテナ共用器（７）は、ＤＣＳ送受信回路の信号受信系を構成する前記第２マイクロストリップライン（８）として、ＤＣＳ送信信号の波長の４分の１の長さを有するλ／４マイクロストリップライン（８１）を採用したものである。
該アンテナ共用器（７）においては、λ／４マイクロストリップライン（８１）が信号受信時のＯＦＦアイソレーション機能を発揮するため、図１の構成で外付け回路として装備されていたキャパシタンスＣ及びインダクタンスＬからなるトラップ回路が省略されている。
該λ／４マイクロストリップライン（８１）は、低温焼成セラミック基板を用いたモジュールに造り込むことが出来るので、アンテナ共用器（７）の小型化が実現される。
【００３２】
図３（ａ）（ｂ）によって、λ／４マイクロストリップライン（８１）が信号受信時のＯＦＦアイソレーション機能を発揮する理由を説明する。
図２に示すアンテナ共用器（７）のＤＣＳ送受信回路において、第１マイクロストリップライン（４）、第２マイクロストリップライン（８１）及びダイオードＤ２からなる回路は、図３（ａ）に示す回路として把握することが出来る。そして、該回路は、“ＯＰＥＮ  ＳＴＵＢ”と称される原理の応用によってＢＥＦ（Ｂａｎｄ  Ｅｌｉｍｉｎａｔｉｏｎ  Ｆｉｌｔｅｒ）回路を構成し、図３（ｂ）に示す如きＬＣトラップ回路と等価であることが知られている。
【００３３】
従って、第２マイクロストリップライン（８１）の長さをマイクロストリップライン（４）と同じくＤＣＳ送信信号の波長の４分の１に設定すれば、該マイクロストリップライン（８１）によって、図１に示すキャパシタンスＣとインダクタンスＬからなるトラップ回のＯＦＦアイソレーションと同じ機能が発揮されることとなり、該トラップ回路を省略することが出来るのである。
【００３４】
図２に示すアンテナ共用器（７）によれば、外付け回路としてのトラップ回路が省略されており、新たに追加された第２マイクロストリップライン（８１）についても第１マイクロストリップライン（４）と同様に低温焼成セラミック基板を用いたモジュールに造り込むことが出来るので、アンテナ共用器（７）の小型化が実現される。
【図面の簡単な説明】
【図１】本発明に係るアンテナ共用器の要部構成を示す回路図である。
【図２】他の実施例を示す同上の回路図である。
【図３】ＢＥＦ回路の等価回路を示す図である。
【図４】従来のアンテナ共用器の要部構成を示す回路図である。
【図５】アンテナ共用器の全体構成を示すブロック図である。
【符号の説明】
（７）  アンテナ共用器
（１０）  アンテナ接続端子
（１１）  高周波側出力端子
（１２）  低周波側端子
（２０）  ダイプレクサ
（４）  第１マイクロストリップライン
（８）  第２マイクロストリップライン
（５）  ＳＡＷフィルター
（６）  ローパスフィルター
【図１】
2004320093.tif 000003
【図２】
2004320093.tif 000004
【図３】
2004320093.tif 000005
【図４】
2004320093.tif 000006
【図５】
2004320093.tif 000007